(57)【要約】【課題】一の住戸のガス調理器と他の住戸の換気状態送信部とが誤ってペアリングされてしまうことがなく、ガス調理器と換気状態送信部とを適正にペアリングすることが可能なペアリング方法を提供する。【解決手段】複数の作業者のそれぞれが、ガス調理器側電子部品と換気状態送信部側電子部品とを所持するとともに、複数の作業者のそれぞれが、ペアリングを行うべきガス調理器側電子部品接続部にガス調理器側電子部品を、換気状態送信部側電子部品接続部に換気状態送信部側電子部品をそれぞれ接続し、暫定無線通信を行ってペアリングを行うように構成するとともに、複数の作業者のそれぞれは、他の作業者が所持するガス調理器側電子部品および換気状態送信部側電子部品の定数に基づいて設定される識別コードとは異なる識別コードが設定されることになる定数を有するガス調理器側電子部品および換気状態送信部側電子部品を所持するようにする。【選択図】図５
2019039648.tif 000002
【特許請求の範囲】
【請求項１】
加熱用のガスバーナを備えたガス調理器と、換気装置による換気の状態を前記ガス調理器に送信するための換気状態送信部とのペアリング方法であって、
ペアリングの対象となる対象ガス調理器が、前記ガスバーナによる加熱の開始および停止を指令する点消火指令部からの加熱開始指令によって制御部が前記ガスバーナによる加熱を開始し、前記点消火指令部からの加熱停止指令によって前記制御部が前記ガスバーナによる加熱を停止するように構成され、
前記対象ガス調理器は、前記ガスバーナで発生する燃焼ガスを外部に排出する換気装置において換気が行われているときに前記換気状態送信部から電波によって送信される、前記換気状態送信部に設定された換気状態送信部用ＩＤコードを含む換気実行情報、または、前記換気装置において換気が行われていないときに前記換気状態送信部から電波によって送信される、前記換気状態送信部用ＩＤコードを含む換気停止情報を受信する換気状態受信部を備え、
特定の前記換気状態送信部に対して、前記換気状態送信部用ＩＤコードとして、特定ＩＤコードが設定され、
（ａ）前記加熱開始指令が指令されてから所定経過時間経過した時点で前記換気状態受信部が前記特定ＩＤコードを含む前記換気実行情報を受信しないとき、
（ｂ）前記ガスバーナによる加熱の開始後に前記換気状態受信部が前記特定ＩＤコードを含む前記換気停止情報を所定時間連続して受信したとき、および、
（ｃ）前記換気状態受信部が前記特定ＩＤコードを含む前記換気実行情報を受信しない期間が所定時間継続したときに、
前記制御部が、前記ガスバーナによる加熱を停止するように構成されており、
ペアリングの対象となる対象換気状態送信部としての、前記換気状態送信部が、暫定無線通信開始用の換気状態送信部側電子部品を接続する、換気状態送信部側電子部品接続部を備え、
前記対象ガス調理器が、暫定無線通信開始用のガス調理器側電子部品を接続するガス調理器側電子部品接続部を備えているとともに、
前記換気状態送信部から、前記換気状態送信部側電子部品接続部に接続された換気状態送信部側電子部品の定数に基づいて設定される識別コード、および、前記換気状態送信部用ＩＤコードを含む、ＩＤコード送信用データを暫定無線通信によって送信することができるように構成されており、
前記対象ガス調理器において、暫定無線通信により受信したデータが、前記ガス調理器側電子部品接続部に接続された前記ガス調理器側電子部品の定数に基づいて設定される識別コードを含むとき、前記ＩＤコード送信用データに含まれる前記換気状態送信部用ＩＤコードが、前記特定ＩＤコードとして設定されるように構成されている場合において、
前記対象ガス調理器と、前記換気状態送信部とのペアリングを行う複数の作業者のそれぞれが、前記ガス調理器側電子部品と前記換気状態送信部側電子部品とを所持するとともに、前記複数の作業者のそれぞれが、ペアリングを行うべき前記ガス調理器側電子部品接続部に前記ガス調理器側電子部品を、前記換気状態送信部側電子部品接続部に前記換気状態送信部側電子部品をそれぞれ接続し、前記暫定無線通信を行ってペアリングを行うように構成され、かつ、
前記複数の作業者のそれぞれは、他の作業者が所持する前記ガス調理器側電子部品および前記換気状態送信部側電子部品の定数に基づいて設定される前記識別コードとは異なる識別コードが設定されることになる定数を有する前記ガス調理器側電子部品および前記換気状態送信部側電子部品を所持するように構成されていること
を特徴とする、ガス調理器と換気状態送信部とのペアリング方法。
【請求項２】
前記ガス調理器側電子部品および前記換気状態送信部側電子部品が、固定抵抗器であることを特徴とする請求項１記載の、ガス調理器と換気状態送信部とのペアリング方法。
【発明の詳細な説明】
【技術分野】
【０００１】
本発明は、ガス調理器と、換気状態送信部とのペアリング方法、詳しくは、ガス調理器と、換気装置による換気の状態をガス調理器に送信する換気状態送信部とのペアリング方法に関する。
【背景技術】
【０００２】
煮物や揚げ物などの調理や、肉や魚などの被調理物を焼いたりする料理などに用いられるガスコンロや、ガスグリルなどのガス調理器は、従来より広く用いられている。
【０００３】
そのようなガス調理器として、特許文献１には、調理容器がグリル庫の内部に収納された状態において、調理容器の存否を検出する容器存否検出センサが、調理容器の後端部に接当する形態で設けられ、容器存否検出センサの検出情報に基づいて、加熱調理用のグリルバーナの燃焼を制御する運転制御手段を備えたガス調理器（グリル）が提案されている。
【０００４】
また、近年、使用する際に、ガス調理器が使用される部屋（一般的には台所）に設けられたレンジフード（換気装置）を作動させる、すなわち、ガス調理器を使用する際に、レンジフードを連動させるようにしたガス調理器が提案されている（例えば特許文献２参照）。
【先行技術文献】
【特許文献】
【０００５】
【特許文献１】特開２０１６−０１６３００号公報
【特許文献２】特開２０１３−０４４５０９号公報
【発明の概要】
【発明が解決しようとする課題】
【０００６】
上述の特許文献１の段落００９９には、調理容器として、蓋部を備えた炊飯用の容器を適用することができる旨の記載があり、当該ガス調理器（グリル）が炊飯に使用することが可能なものであることが示唆されている。
【０００７】
例えば、特許文献１のガス調理器（ガスグリル）を用いて炊飯を行う場合に、ガス調理器がタイマ予約炊飯機能を備えるようにして、タイマにて設定した時刻になると自動的に炊飯を開始するようにすると便利である。しかし、タイマにて設定された時刻にガス調理器が炊飯を開始する際、ガスの燃焼によって加熱を行うことによって、その燃焼ガスが、ガス調理器が使用される部屋（一般的には台所）に排出されることになり、燃焼ガスが充満するという不都合が生じることになる。
【０００８】
これに対し、上述の特許文献２のガス調理器の場合、使用の際に、ガス調理器が設置された部屋（一般的には台所）が備えるレンジフード（換気装置）を作動させることができるように構成されているため、例えば、タイマにて設定された時刻にガス調理器が炊飯を開始する際に、レンジフードを連動させるように構成すれば、ガス調理器からの燃焼ガスを、ガス調理器が設置された部屋から外に排出して、燃焼ガスがガス調理器が設置された部屋（一般的には台所）に充満することが防止することができる。
【０００９】
しかし、その場合も、タイマにて設定された、ガス調理器が炊飯を開始する時刻に停電が発生したり、ガス調理器が稼働してもレンジフードが適正に連動しなかったりした場合には、燃焼ガスが、ガス調理器が設置された部屋に充満するという不都合が生じることになる。
【００１０】
ここで、ガス調理器が燃焼を開始する際に、レンジフード（換気装置）が排気運転を開始しない場合に、ガス調理器のガスバーナが燃焼せず、ガス調理器からの燃焼ガスの排出が継続しないようにすれば、ガス調理器が設置された部屋（一般的には台所）に、ガス調理器の燃焼ガスが充満するという不都合の発生を防止することが可能になると考えられる。
【００１１】
そして、そのためには、例えば、レンジフード（換気装置）による換気状態情報をガス調理器に送信する換気状態送信部を備え、ガス調理器と換気状態送信部とが無線通信を行うように構成することが考えられる。
【００１２】
ところがその場合、ガス調理器と換気状態送信部との間で適正に無線通信が行われるように、所定のガス調理器と所定の換気状態送信部とをペアリングするにあたって、複数の作業者が、複数の住戸のそれぞれにおいて、同時にガス調理器と換気状態送信部とのペアリングを実行した場合、例えば一の住戸のガス調理器と、他の住戸に設置されたレンジフード（換気装置）による換気状態情報を送信するための換気状態送信部とが誤ってペアリングされてしまうこと、すなわち、適正なペアリングが行われないことが起こりうる。
【００１３】
そして、適正なペアリングが行われない場合、他の住戸に設置されたレンジフード（換気装置）の換気状態を送信する換気状態送信部と、一の住戸のガス調理器とが無線通信を行い、他の住戸に設置されたレンジフード（換気装置）の換気状態を送信する換気状態送信部からの換気状態情報に基づいて一の住戸のガス調理器の運転が規制されるという不都合が生じることになる。
【００１４】
本発明は、上記問題点を解決するものであり、複数の住戸において、複数の作業者が同時にガス調理器と換気状態送信部とのペアリングを行う場合において、ペアリングのための暫定無線通信が複数の作業者によって同時に実行されたときにも、一の住戸のガス調理器と他の住戸の換気状態送信部とが誤ってペアリングされてしまうことがなく、ガス調理器と換気状態送信部とを適正にペアリングすることが可能なペアリング方法を提供することを目的とする。
【課題を解決するための手段】
【００１５】
上記の目的を達成するために、本発明のガス調理器と換気状態送信部とのペアリング方法は、
加熱用のガスバーナを備えたガス調理器と、換気装置による換気の状態を前記ガス調理器に送信するための換気状態送信部とのペアリング方法であって、
ペアリングの対象となる対象ガス調理器が、前記ガスバーナによる加熱の開始および停止を指令する点消火指令部からの加熱開始指令によって制御部が前記ガスバーナによる加熱を開始し、前記点消火指令部からの加熱停止指令によって前記制御部が前記ガスバーナによる加熱を停止するように構成され、
前記対象ガス調理器は、前記ガスバーナで発生する燃焼ガスを外部に排出する換気装置において換気が行われているときに前記換気状態送信部から電波によって送信される、前記換気状態送信部に設定された換気状態送信部用ＩＤコードを含む換気実行情報、または、前記換気装置において換気が行われていないときに前記換気状態送信部から電波によって送信される、前記換気状態送信部用ＩＤコードを含む換気停止情報を受信する換気状態受信部を備え、
特定の前記換気状態送信部に対して、前記換気状態送信部用ＩＤコードとして、特定ＩＤコードが設定され、
（ａ）前記加熱開始指令が指令されてから所定経過時間経過した時点で前記換気状態受信部が前記特定ＩＤコードを含む前記換気実行情報を受信しないとき、
（ｂ）前記ガスバーナによる加熱の開始後に前記換気状態受信部が前記特定ＩＤコードを含む前記換気停止情報を所定時間連続して受信したとき、および、
（ｃ）前記換気状態受信部が前記特定ＩＤコードを含む前記換気実行情報を受信しない期間が所定時間継続したときに、
前記制御部が、前記ガスバーナによる加熱を停止するように構成されており、
ペアリングの対象となる対象換気状態送信部としての、前記換気状態送信部が、暫定無線通信開始用の換気状態送信部側電子部品を接続する、換気状態送信部側電子部品接続部を備え、
前記対象ガス調理器が、暫定無線通信開始用のガス調理器側電子部品を接続するガス調理器側電子部品接続部を備えているとともに、
前記換気状態送信部から、前記換気状態送信部側電子部品接続部に接続された換気状態送信部側電子部品の定数に基づいて設定される識別コード、および、前記換気状態送信部用ＩＤコードを含む、ＩＤコード送信用データを暫定無線通信によって送信することができるように構成されており、
前記対象ガス調理器において、暫定無線通信により受信したデータが、前記ガス調理器側電子部品接続部に接続された前記ガス調理器側電子部品の定数に基づいて設定される識別コードを含むとき、前記ＩＤコード送信用データに含まれる前記換気状態送信部用ＩＤコードが、前記特定ＩＤコードとして設定されるように構成されている場合において、
前記対象ガス調理器と、前記換気状態送信部とのペアリングを行う複数の作業者のそれぞれが、前記ガス調理器側電子部品と前記換気状態送信部側電子部品とを所持するとともに、前記複数の作業者のそれぞれが、ペアリングを行うべき前記ガス調理器側電子部品接続部に前記ガス調理器側電子部品を、前記換気状態送信部側電子部品接続部に前記換気状態送信部側電子部品をそれぞれ接続し、前記暫定無線通信を行ってペアリングを行うように構成され、かつ、
前記複数の作業者のそれぞれは、他の作業者が所持する前記ガス調理器側電子部品および前記換気状態送信部側電子部品の定数に基づいて設定される前記識別コードとは異なる識別コードが設定されることになる定数を有する前記ガス調理器側電子部品および前記換気状態送信部側電子部品を所持するように構成されていること
を特徴としている。
【００１６】
本発明においては、前記ガス調理器側電子部品および前記換気状態送信部側電子部品が、固定抵抗器であることが好ましい。
【発明の効果】
【００１７】
本発明のガス調理器と換気状態送信部とのペアリング方法は、上述のように構成されており、複数の作業者のそれぞれが、他の作業者が所持するガス調理器側電子部品および換気状態送信部側電子部品の定数に基づいて設定される識別コードとは異なる識別コードが設定されることになる定数を有するガス調理器側電子部品および換気状態送信部側電子部品を所持するようにしているので、例えば複数の住戸のうちのそれぞれの住戸において、複数の作業者のうちのいずれかの作業者がガス調理器と換気状態送信部とのペアリングを行う場合に、複数の作業者のそれぞれによって、複数の住戸のそれぞれで同時にペアリングのための暫定無線通信が実行されたときにも、一の住戸のガス調理器と、他の住戸の換気状態送信部とが誤ってペアリングされることを防止して、確実に適正なペアリングを行うことが可能になる。
【００１８】
また、ペアリングが行われた後の実使用においても、ペアリングされた特定の換気状態送信部以外の換気状態送信部から送信される換気状態情報に基づいてガス調理器の運転が規制されるという誤動作を確実に防止することができる。
【００１９】
また、本発明のガス調理器と換気状態送信部とのペアリング方法において、ガス調理器側電子部品および換気状態送信部側電子部品として、固定抵抗器を用いるようにした場合、複数の作業者のそれぞれが、他の作業者が所持するガス調理器側電子部品および換気状態送信部側電子部品の定数に基づいて設定される識別コードとは異なる識別コードが設定されることになる定数を有するガス調理器側電子部品および換気状態送信部側電子部品を確実に所持することが可能になり、本発明をより実効あらしめることができる。
【００２０】
すなわち、固定抵抗器は、異なる抵抗値（本発明における定数に相当する）を有するものを適切に選択することができるように系列化された、種々の製品が市販されているため、この固定抵抗器をガス調理器側電子部品および換気状態送信部側電子部品として用いることにより、本発明をより実効あらしめることができる。
【図面の簡単な説明】
【００２１】
【図１】本発明の実施形態にかかるペアリング方法により換気状態送信部とのペアリング行われるガス調理器（グリルが組み込まれたガスコンロ）の斜視図である。
【図２】本発明の実施形態にかかるペアリング方法により換気状態送信部とのペアリング行われるガス調理器の制御構成を示すブロック図である。
【図３】本発明の実施形態にかかる、ガス調理器とペアリングされる換気状態送信部を備えた換気状態送信ユニットが、その排気ダクトに接続されることになる換気装置（レンジフード）の切欠き正面図である。
【図４】本発明の実施形態にかかる、ガス調理器とペアリングされる換気状態送信部を備えた換気状態送信ユニットを換気装置（レンジフード）の排気ダクトに接続する途中状態を示す図である。
【図５】本発明の実施形態にかかる、ガス調理器とペアリングされる換気状態送信部を備えた換気状態送信ユニットが、換気装置（レンジフード）の排気ダクトに接続された状態を示す図である。
【図６】本発明の実施形態にかかる、ガス調理器とペアリングされる換気状態送信部を備えた換気状態送信ユニットを示す図であって、（ａ）は上部継手と下部継手を省略した要部平断面図、（ｂ）はその側面図である。
【発明を実施するための形態】
【００２２】
以下、本発明の実施形態を示して、その特徴とするところをさらに詳しく説明する。
【００２３】
［実施形態］
この実施形態では、本発明の実施形態にかかるグリルが組み込まれたガス調理器（ガスコンロ）１０を例にとって説明する。
【００２４】
（ガス調理器の全体構成）
この実施形態では、まず、ガス調理器（ガスコンロ）１０の全体的な構成について説明した後、本発明の特徴的な構成について説明する。
この実施形態にかかるガス調理器は、図１に示すように、コンロ本体Ｈの上面部に、左右一対のコンロバーナ１を備え、コンロ本体Ｈの内部にグリルＧを備えている。
【００２５】
そして、このガス調理器は、キッチンカウンタに形成したコンロ装着口に上方から挿入して組付ける、いわゆるビルトインタイプとして構成されており、コンロ本体Ｈの上部の周縁部には、キッチンカウンタに載置する鍔部が形成されている。
【００２６】
コンロ本体Ｈの上部には、ガラス製の天板２が装備され、そして、天板２の後部側箇所には、グリルＧの調理排気を排出するためのグリル排気口３が形成されている。
また、天板２の上部には、コンロバーナ１にて加熱される鍋などの被加熱物を載置するための五徳４が、左右のコンロバーナ１のそれぞれに対応して設けられている。
【００２７】
なお、コンロバーナ１の中央部には、図１に示すように、鍋などの被加熱物の存在および被加熱物の底壁温度を検出するコンロバーナセンサ１Ａが設けられている。
【００２８】
コンロ本体Ｈの上部に装備した天板２の手前側箇所には、左右のコンロバーナ１のそれぞれに対する左右一対のコンロ用操作具５が、上方に離脱させることができるように設けられており、コンロ本体Ｈの前面部の右側箇所には、グリルＧに対するグリル用設定操作部６が、下方側を支点にした前後揺動により開閉することができるように設けられている。なお、図１は、グリル用設定操作部６が開いた状態を示している。
【００２９】
ちなみに、一対のコンロ用操作具５のそれぞれは、前後や左右のスライド操作および左右の回転操作により、点火および消火の指令、目標火力の指令、目標温度に維持する自動温度調理の指令など、各種の指令情報を指令するように構成されている。
【００３０】
グリル用設定操作部６は、複数の指令スイッチを備え、それらの複数の指令スイッチの操作により、後述する加熱調理用のグリル加熱手段としてのグリルバーナＡに対する点火および消火の指令、目標火力の指令、調理モードの指令など、各種の指令情報を指令するように構成されており、その詳細は後述する。
【００３１】
（特徴的構成）
次に、この実施形態にかかるガス調理器の特徴的な構成について説明する。
【００３２】
このガス調理器が設置されている部屋（台所）には、換気装置として、図３に示すレンジフード１１０が設置されている。このレンジフード（換気装置）１１０は、吸い込み部を有する排気用ファン１０１と、排気用ファンを駆動するモータ１０７と、排気用ファン１０１を収容するケーシング１０２とフード部１０３とを備えている。
【００３３】
ケーシング１０２の下面側には、下方に開口した排気用吸い込み口１０２ａが形成されており、排気用ファン１０１の吸い込み部１０１ａが排気用吸い込み口２ａと連通している。
【００３４】
そして、図４、図５に示すように、レンジフード（換気装置）１１０の排気ダクト１０６には、延長用排気筒１１６などが接続され、レンジフード（換気装置）１１０の排気用吸い込み口１０２ａから吸引された台所内の空気は、排気ダクト１０６から、上記延長用排気筒１１６を経て、外部に排気されるように構成されている。
【００３５】
また、この実施形態では、上記のレンジフード（換気装置）１１０の排気ダクト１０６と、延長用排気筒１１６との間には、換気状態送信ユニット１５０が介装されている（図４、図５参照）。
さらに具体的に説明すると、換気状態送信ユニット１５０の下側には下部継手１５１が設けられ、換気状態送信ユニット１５０の上側には上部継手１５２が設けられている。なお、この換気状態送信ユニット１５０は、換気状態をガス調理器が有する換気状態受信部Ｚ（図２）に送信するための、後述する換気状態送信部１６４（図６（ａ）参照）を備えている。
【００３６】
そして、上述の下部継手１５１がレンジフード（換気装置）１１０の排気ダクト１０６に接続され、かつ、換気状態送信ユニット１５０の上部継手１５２に延長用排気筒１１６が接続されている（図４、図５参照）。
【００３７】
また、換気状態送信ユニット１５０は、図６（ａ）、（ｂ）に示すように、円環状の外枠１６１と、外枠１６１により囲繞される空間に、周方向に９０度おきに放射状に配置された４本の棒状部材１６２と、４本の棒状部材１６２の交点に配設され中心軸１７０を備えている。なお、中心軸１７０は後述する６枚のブレード１６５を有するタービン１６６の回転の中心となる軸であり、下部継手１５１から上部継手１５２に向かう方向に沿って形成されている。
なお、図６（ａ）では上部継手、下部継手の記載が省略されている。
【００３８】
そして、円環状の外枠１６１で囲繞される空間には、上記中心軸１７０を中心として回転自在に６枚のブレード１６５を有するタービン１６６が配置されている。
【００３９】
さらに、タービン１６６を構成する各ブレード１６５の先端にはそれぞれ磁石１６７が配設されている。
【００４０】
そして、レンジフード（換気装置）１１０が換気運転を開始すると、レンジフード１１０の排気ダクト１０６から排出される排気が、下部継手１５１側から流れ込み、円環状の外枠１６１で囲繞される空間を経由して上部継手１５２から延長用排気筒１１６を経由して屋外に排出されるように構成されている。
【００４１】
また、円環状の外枠１６１には周方向の一定の間隔をおいて１２個のコイル１６３が配置されており、これら１２個のコイル１６３は、電気的に接続され、その出力が円環状の外枠１６１内に備える換気状態送信部１６４に入力されるように構成されている。
【００４２】
そして、レンジフード（換気装置）１１０の排気ダクト１０６から排出される排気が、円環状の外枠１６１で囲繞される空間を、下部継手１５１から上部継手１５２に向かう方向に沿って流動すると、６枚のブレード１６５を有するタービン１６６が中心軸１７０を中心として回転する。
【００４３】
そして、タービン１６６が回転すると、各ブレード１６５の先端に備える磁石１６７が６枚のブレード１６５を有するタービン１６６とともに回転する。
各ブレード１６５の先端に配設された磁石１６７が回転すると、上述の１２個のコイル１６３に電圧が誘起され、この誘起された電圧が換気状態送信部１６４に入力される。
【００４４】
すなわち、この実施形態では、６枚のブレード１６５を有するタービン１６６が毎秒１回転の速度で回転したとき、１２Ｈｚ（ヘルツ）の交流電圧が換気状態送信部１６４に入力されるように構成されている。
【００４５】
換気状態送信部１６４に入力された交流電圧は、換気状態送信部１６４の電源となる。また、換気状態送信部１６４は、１２個のコイル１６３から入力される交流電圧の周波数に応じて、ガス調理器が備えている換気状態受信部Ｚ（図２）に対して、レンジフード（換気装置）１１０からの排気が通流する換気状態であるか否かの換気状態を電波によって送信する。
【００４６】
因みに、この実施形態では、レンジフード（換気装置）１１０が毎時１００立方メートルで排気するとき、１２０Ｈｚ（ヘルツ）の交流電圧が換気状態送信部１６４に入力されるように構成されている。
【００４７】
つまり、換気状態送信ユニット１５０は、レンジフード（換気装置）１１０からの排気の通流によって換気状態送信部１６４に電源を供給する同期発電機を備え、換気状態送信部１６４は、この同期発電機から電源が供給されるとともに、この同期発電機から供給される交流電圧の周波数によって、レンジフード１１０からの排気の通流量に関する情報を、電波によってガス調理器に送信することができるように構成されている。
【００４８】
例えば、レンジフード（換気装置）１１０が、毎時１００立方メートルで排気している場合、換気状態送信部１６４には、上記同期発電機から１２０Ｈｚの交流電圧が供給される。
そして、換気状態送信部１６４は、この１２０Ｈｚの交流電圧を電源として以下のように、ガス調理器が備えている換気状態受信部Ｚに換気装置の換気状態情報を電波によって送信する。
【００４９】
印加されている電源の周波数ｆ＝１２０Ｈｚを、レンジフード（換気装置）１１０における換気の排気量Ｑ＝毎時１００立方メートルに変換する。
換気状態送信部１６４は、ガス調理器に備える換気状態受信部Ｚと通信を行い、レンジフード１１０における換気の排気量Ｑ＝毎時１００立方メートルであること（換気実行情報）を電波によって送信する。
【００５０】
なお、電波による通信の方法としては、この実施形態では、換気状態送信部１６４から３ｍの距離における電界強度が概ね５００μＶ／ｍとなる、微弱電波による通信方法が用いられている。上述のような微弱電波による通信方法であっても、換気状態送信部１６４とガス調理器の距離は一般的に３ｍ以内であるので、問題は生じない。
【００５１】
この実施形態のガス調理器において、換気状態受信部Ｚ（図２）は、レンジフード（換気装置）１１０における換気の排気量Ｑ＝毎時１００立方メートルであること（換気実行情報）を受信する。
【００５２】
この実施形態にかかるガス調理器１０においては、コンロバーナ１や、グリルＧが備えるグリルバーナ（図示せず）に対して加熱開始指令が指令されてから所定経過時間（例えば３０秒）が経過した時点で、換気状態受信部Ｚが換気実行情報（例えば、排気量Ｑ＝毎時１００立方メートルであるという情報）を受信したときには、コンロバーナ１やグリルバーナの加熱を継続するが、コンロバーナ１やグリルバーナに対して加熱開始指令が指令されてから所定経過時間（例えば３０秒）が経過した時点で、換気状態受信部Ｚが換気実行情報を受信しないとき、コンロバーナ１やグリルバーナによる加熱を停止する。
【００５３】
なお、換気状態送信部１６４は、バッテリー（図示せず）を備えており、一旦電源が印加されるとバッテリーの充電が行われる。そして、仮に、レンジフード（換気装置）１１０が停止して、レンジフード１１０における換気の排気量Ｑが毎時０立方メートルに変化したときには、レンジフード１１０における換気の排気量Ｑが毎時０立方メートルであること（換気停止情報）を送信するように構成されている。
【００５４】
そして、コンロバーナ１やグリルバーナによる加熱を開始した後、継続して加熱が行われている場合に、換気状態受信部Ｚが上記換気停止情報を所定時間（例えば３０秒）連続して受信したときには、コンロバーナ１やグリルバーナによる加熱が停止される。
【００５５】
なお、換気状態送信部１６４がバッテリーを備えるようにしているのは、レンジフード（換気装置）１１０による排気の通流がなく、電源が得られない場合において、換気状態送信部１６４がバッテリーを備えていない場合、換気状態送信部１６４から換気状態受信部Ｚに情報（換気停止情報）を送信することができなくなることによる。
【００５６】
本発明のガス調理器は、ガス調理器のコンロバーナ１やグリルバーナが燃焼を開始する際に、レンジフード（換気装置）１１０が排気運転を開始しない場合や、レンジフード１１０が排気運転を所定時間継続して停止した場合に、ガス調理器からの燃焼ガスの排出が継続することがないように構成されているので、燃焼ガスが、ガス調理器が設置された部屋（一般的には台所）に充満するようなことを確実に防止することができる。
【００５７】
しかも、上述の換気状態送信ユニット１５０を、レンジフード（換気装置）１１０が備えている排気ダクト１０６に取り付けるだけで、レンジフード１１０による排気の通流によって電源が得られるとともに、ガス調理器に換気情報が送信されるので、外部からの電源の供給や、レンジフード１１０が備える制御回路との接続や通信が不要で、特に有意義である。
【００５８】
なお、上記実施形態では、換気状態受信部が換気実行情報を受信しない期間が所定時間継続したときなどの所定の状況下でバーナの加熱を停止するように構成しているが、なんらかの理由により、まだバーナの加熱が開始されていない場合においては、加熱を開始しないように構成することも可能である。
【００５９】
また、この実施形態では、コンロバーナ１やグリルバーナで発生する燃焼ガスを外部に排出する上述のレンジフード（換気装置）１１０において換気が行われているときに、レンジフード１１０が備える換気状態送信部１６４（具体的には、レンジフード１１０に接続された換気状態送信ユニット１５０）から電波によって送信される換気実行情報には、レンジフード１１０に接続された、換気状態送信部１６４を有する換気状態送信ユニット１５０に設定された換気状態送信部用ＩＤコードが含まれるように構成されている。
【００６０】
また、レンジフード（換気装置）１１０において換気が行われていないときに換気状態送信部１６４であるレンジフード１１０に接続された換気状態送信ユニット１５０の換気状態送信部１６４から電波によって送信される換気停止情報にも、レンジフード１１０に接続された、換気状態送信部１６４を有する換気状態送信ユニット１５０に設定された換気状態送信部用ＩＤコードが含まれるように構成されている。
【００６１】
したがって、この実施形態のガス調理器（ガスコンロ）１０が備える換気状態受信部Ｚ（図２参照）は、換気状態送信部用ＩＤコードを含む換気実行情報、あるいは、換気状態送信部用ＩＤコードを含む換気停止情報を受信することになる。
【００６２】
また、特定の換気状態送信部（当該ガスコンロ１０が設置された部屋（台所）に設置されたレンジフード（換気装置）１１０に接続された換気状態送信ユニット１５０の換気状態送信部）１６４が電波によって送信する換気実行情報および換気停止情報に含まれる換気状態送信部用ＩＤコードが、後述するように、特定ＩＤコードとして設定されるように構成されている。
【００６３】
そして、ガス調理器（ガスコンロ）１０において加熱開始指令が指令されてから所定経過時間経過した時点でガス調理器（ガスコンロ）１０が備える換気状態受信部Ｚが特定ＩＤコードを含む換気実行情報を受信しないとき、コンロバーナ１やグリルバーナによる加熱を停止するように構成されている。
【００６４】
また、コンロバーナ１やグリルバーナによる加熱の開始後にガス調理器（ガスコンロ）１０が備える換気状態受信部Ｚが特定ＩＤコードを含む換気停止情報を所定時間（例えば３０秒）連続して受信したとき、および、ガス調理器（ガスコンロ）１０が備える換気状態受信部Ｚが特定ＩＤコードを含む換気実行情報を受信しない期間が所定時間（例えば３０秒）継続したときにコンロバーナ１やグリルバーナによる加熱を停止するように構成されている。
【００６５】
次に、換気状態送信部用ＩＤコードが、特定ＩＤコードとして設定されるようにした構成について説明を行う。
この実施形態のガス調理器（ガスコンロ）１０は、図１に示すように、暫定無線通信開始用のガス調理器側電子部品１５ａを接続するガス調理器側電子部品接続部１５を備えている。なお、本発明において、暫定無線通信とは、換気状態送信部用ＩＤコードが、特定ＩＤコードとしてガス調理器（ガスコンロ）１０の制御部（運転制御部）に設定されるまでの工程で行われる無線通信をいう。
【００６６】
また、レンジフード（換気装置）１１０に接続された換気状態送信ユニット１５０は、暫定無線通信開始用の換気状態送信部側電子部品１１５ａ（図５、図６（ｂ）参照）を接続する、換気状態送信部側電子部品接続部１１５を備えている（図４、図５、図６（ｂ）参照）。
【００６７】
そして、ガス調理器側電子部品接続部１５にガス調理器側電子部品（例えば、１２１ｋΩ±１％の固定抵抗器）１５ａを接続するとともに、換気状態送信部側電子部品接続部１１５に換気状態送信部側電子部品（例えば、１２１ｋΩ±１％の固定抵抗器）１１５ａを接続し、レンジフード（換気装置）１１０を起動して換気運転を開始し、ガス調理器（ガスコンロ）１０のグリル用設定操作部６を用いて所定の操作（複数のスイッチの同時押しなどが、所定の操作として好適であるが特に限定されない）を行うと、レンジフード１１０に接続された、換気状態送信部１６４を含む換気状態送信ユニット１５０が、ガス調理器１０との無線通信（暫定無線通信）を開始する。
【００６８】
また、レンジフード（換気装置）１１０に接続された換気状態送信ユニット１５０の換気状態送信部１６４からは、換気状態送信部側電子部品接続部１１５に接続された換気状態送信部側電子部品１１５ａの定数（１２１ｋΩ）に基づいて設定される識別コード（２進数で０００１  ００１０  ０００１、左記２進数を４桁毎に１０進数に変換すると１２１）、および、上述の換気状態送信部用ＩＤコードを含む、ＩＤコード送信用データが、無線通信によって送信される。
【００６９】
一方、ガス調理器（ガスコンロ）１０においては、この無線通信により受信したデータに、ガス調理器側電子部品接続部１５に接続されたガス調理器側電子部品１５ａの定数（１２１ｋΩ）に基づいて設定される識別コード（２進数で０００１  ００１０  ０００１、左記２進数を４桁毎に１０進数に変換すると１２１）が含まれているので、上記ＩＤコード送信用データに含まれる換気状態送信部用ＩＤコードが、特定ＩＤコードとして設定される。
【００７０】
これに対し、仮に、換気状態送信部側電子部品接続部１１５に換気状態送信部側電子部品（例えば、１２１ｋΩ±１％の固定抵抗器）１１５ａが接続され、ガス調理器側電子部品接続部１５にガス調理器側電子部品（例えば、１７８ｋΩ±１％の固定抵抗器）１５ａが接続された場合には、レンジフード（換気装置）１１０に接続された、換気状態送信部１６４を有する換気状態送信ユニット１５０からは、換気状態送信部側電子部品接続部１１５に接続された換気状態送信部側電子部品１１５ａの定数（１２１ｋΩ）に基づいて設定される識別コード（２進数で０００１  ００１０  ０００１、左記２進数を４桁毎に１０進数に変換すると１２１）、および、換気状態送信部用ＩＤコードを含む、ＩＤコード送信用データが、無線通信によって送信される一方、ガスコンロにおいては、この無線通信により受信したデータに、ガス調理器側電子部品接続部１５に接続されたガス調理器側電子部品１５ａの定数（１７８ｋΩ）に基づいて設定される識別コード（２進数で０００１  ０１１１  １０００、左記２進数を４桁毎に１０進数に変換すると１７８）は含まれないので、上記ＩＤコード送信用データに含まれる換気状態送信部用ＩＤコードが、特定ＩＤコードとして設定されることはない。
【００７１】
ところで、集合住宅などにおいて、ガス調理器（ガスコンロ）１０と、換気状態送信部１６４を有する換気状態送信ユニット１５０を設置するにあたっては、複数の作業者が、ガス調理器側電子部品１５ａと換気状態送信部側電子部品１１５ａとを予め所持し、複数の作業者のそれぞれが、ガス調理器側電子部品接続部１５にガス調理器側電子部品１５ａを接続するとともに、換気状態送信部側電子部品接続部１１５に換気状態送信部側電子部品１１５ａを接続する形態で、ガス調理器（例えばガスコンロ）１０と、換気状態送信部１６４とのペアリングが行われる。
【００７２】
ここで、本発明の実施形態にかかるペアリング方法においては、複数の作業者のそれぞれが、他の作業者が所持するガス調理器側電子部品１５ａおよび換気状態送信部側電子部品１１５ａの定数（上の例では、１２１ｋΩ）とは異なる定数（例えば、１２１ｋΩではなく、１２１ｋΩとは確実に識別されることになる所定の抵抗値）を有するガス調理器側電子部品１５ａおよび換気状態送信部側電子部品１１５ａを所持するように構成している。
【００７３】
言い換えると、複数の作業者のそれぞれは、他の作業者が所持するガス調理器側電子部品１５ａおよび換気状態送信部側電子部品１１５ａの定数（例えば１２１ｋΩ）に基づいて設定される識別コードと同じ識別コードが設定されることのない定数（つまり、上述の１２１ｋΩとは確実に区別される定数）を有するガス調理器側電子部品１５ａおよび換気状態送信部側電子部品１１５ａを所持するようにしている。
【００７４】
すなわち、本発明においては、複数の作業者のうちの任意の一の作業者が予め所持するガス調理器側電子部品（例えば、ガス調理器側固定抵抗器）１５ａおよび換気状態送信部側電子部品（例えば、換気状態送信部側固定抵抗器）１１５ａのそれぞれの定数（例えば、１２１ｋΩ）に基づいて設定される識別コードと同じ識別コードが設定されることになる、上記定数（１２１ｋΩ）を有するガス調理器側電子部品１５ａおよび換気状態送信部側電子部品１１５ａを、複数の作業者のうちの他の作業者が所持することのないように構成されている。
【００７５】
このように、複数の作業者は、それぞれが、他の作業者が所持する電子部品とは異なる定数を有するガス調理器側および換気状態送信部側の一対の電子部品を所持することになるので、作業者が所持すべき電子部品としては、複数の作業者の数に対応する数の電子部品、例えば、作業者が２４名である場合には、対となるガス調理器側電子部品１５ａおよび換気状態送信部側電子部品１１５ａは同じ定数を有し、他の対とは定数の異なる２４対の、異なる定数を有する電子部品が用意されることになる。
【００７６】
このように構成することで、複数の住戸において、複数の作業者によって、同時に暫定無線通信が実行された場合にも、一の住戸の換気を必要とするガス調理器１０と、他の住戸の換気状態送信部１６４とが誤ってペアリングされることを確実に防止して、ガス調理器１０と換気状態送信部１６４とを適正にペアリングすることが可能になる。
【００７７】
以下に、本発明の実施形態にかかるガス調理器１０と換気状態送信部１６４とのペアリング方法について、より具体的に説明する。
【００７８】
例えば、ガス調理器側電子部品１５ａおよび換気状態送信部側電子部品１１５ａとして、電子部品メーカーから±１％の精度で、Ｅ−９６系列（表１参照）の抵抗値（定数）を選択することができるように供給されている固定抵抗器を用いる場合、例えば、１００ｋΩ、１１０ｋΩ、１２１ｋΩ、１３３ｋΩ、１４７ｋΩ、１６２ｋΩ、１７８ｋΩ、１９６ｋΩ、２１５ｋΩ、２３７ｋΩ、２６１ｋΩ、２８７ｋΩ、３１６ｋΩ、３４８ｋΩ、３８３ｋΩ、４２２ｋΩ、４６４ｋΩ、５１１ｋΩ、５６２ｋΩ、６１９ｋΩ、６８１ｋΩ、７５０ｋΩ、８２５ｋΩ、９０９ｋΩの２４種類（２４対）の、ガス調理器側電子部品１５ａおよび換気状態送信部側電子部品１１５ａを準備する。
【００７９】
なお、表１は、Ｅ−９６系列の固定抵抗器の有効数値を示す数列表であって、この数字に１０n（この表１の場合は１０5）を乗じた値が固定抵抗器の抵抗値となる。例えば、表１中における、１．２１の数値の固定抵抗器の抵抗は、１．２１×１０5＝１２１０００Ω＝１２１ｋΩとなる。
【００８０】
【表１】
2019039648.tif 000003
【００８１】
そして、複数の作業者のうちの一の作業者が予め所持するガス調理器側固定抵抗器１５ａおよび換気状態送信部側固定抵抗器１１５ａの定数と同じ定数のガス調理器側固定抵抗器および換気状態送信部側固定抵抗器を、一の作業者以外の他の作業者が所持しないようにする。
【００８２】
すなわち、複数の作業者のそれぞれが、互いに、他の作業者が所持するガス調理器側固定抵抗器および換気状態送信部側側固定抵抗器とは定数が異なるが、一対のガス調理器側固定抵抗器および換気状態送信部側側固定抵抗器では同じ定数を有する固定抵抗器を所持して、複数の作業者のそれぞれが、ガス調理器（ガスコンロ）１０と、それに対応する、レンジフード（換気装置）１１０による換気の状態を送信する換気状態送信部１６４とのペアリングを行う。
【００８３】
上述のように構成した場合、２４人の作業者によって同時に暫定無線通信が実行されたときにも、一の住戸のガス調理器（ガスコンロ）１０と、他の住戸の換気状態送信部１６４とが誤ってペアリングされることを確実に防止して、ガス調理器１０と換気状態送信部１６４とのペアリングとを適正にペアリングすることができる。
【００８４】
なお、上述のガス調理器側電子部品１５ａのガス調理器側電子部品接続部１５への接続、および、換気状態送信部側電子部品１１５ａの換気状態送信部側電子部品接続部１１５への接続は、ガス調理器（ガスコンロ）１０を設置する際、あるいは、換気状態送信ユニット１５０を設置する際に、設置業者、または、使用者によって行われ、ガス調理器（ガスコンロ）１０が備える運転制御部Ｗが、レンジフード（換気装置）１１０に接続された換気状態送信部１６４を有する換気状態送信ユニット１５０から換気状態送信部用ＩＤコードを取得し、この換気状態送信部用ＩＤコードが特定ＩＤコードとして設定された後には、上述のガス調理器側電子部品１５ａ、換気状態送信部側電子部品１１５ａは取り外されるので、ガス調理器（ガスコンロ）１０やレンジフード１１０の使用時においてガス調理器側電子部品１５ａ、および、換気状態送信部側電子部品１１５ａが邪魔になることはない。
【００８５】
また、上述の無線通信の方式としては、周知の種々の通信方式が採用可能であり、これ以上の詳細な説明は省略する。
【００８６】
この実施形態の方法でガス調理器１０と換気状態送信部１６４とのペアリングを行うことにより、ガス調理器が燃焼を開始する際に、レンジフードなどの換気装置が排気運転を開始しない場合や、排気運転を所定時間継続して停止した場合にも、ガス調理器が誤って燃焼を開始したり、燃焼しているガス調理器の燃焼が誤って継続したりすることがなく、ガス調理器からの燃焼ガスが、ガス調理器が設置された部屋（一般的には台所）に充満してしまうことを確実に抑制、防止することが可能になる。
【００８７】
さらに、上述のように、換気状態送信部用ＩＤコードおよび識別コードを含むＩＤコード送信用データが暫定無線通信によって送信され、この暫定無線通信により受信したＩＤコード送信用データに含まれる換気状態送信部用ＩＤコードが特定ＩＤコードとして設定されるので、ガス調理器とペアリングされた特定の換気状態送信部（例えば、ガス調理器と同室に設置されたレンジフード（換気装置）１１０に接続された換気状態送信ユニット１５０）以外の換気状態送信部から電波によって送信される換気実行情報や換気停止情報に基づいて誤って加熱を継続してしまったり、誤って加熱を停止してしまったりする誤動作を適確に防止することができる。
【００８８】
［別実施形態］
なお、本発明のガス調理器と換気状態送信部とのペアリング方法において、ガス調理器側電子部品接続部に接続されるガス調理器側電子部品の定数や換気状態送信部側電子部品接続部に接続される換気状態送信部側電子部品の定数は上述の値に限定されるものではなく、種々の定数のものを用いることが可能である。
【００８９】
また、上記実施形態では、ガス調理器側電子部品および換気状態送信部側電子部品として固定抵抗器が用いられているが、固定抵抗器に代えて、コンデンサやインダクタを用いてもよい。
【００９０】
なお、ガス調理器側電子部品および換気状態送信部側電子部品としてコンデンサが用いられる場合には、ガス調理器側電子部品および換気状態送信部側電子部品の定数はコンデンサの静電容量で表されることになる。
【００９１】
また、ガス調理器側電子部品および換気状態送信部側電子部品としてインダクタが用いられる場合は、ガス調理器側電子部品および換気状態送信部側電子部品の定数はインダクタのインダクタンスで表されることになる。
【００９２】
また、上記実施形態では、ガス調理器がグリルを備えたガスコンロである場合について説明したが、ガスコンロがグリルを備えず、コンロバーナのみを備えるように構成することも可能である。
【００９３】
また、本発明のガス調理器は、グリル専用機にも適用することが可能である。
【００９４】
さらに、上記実施形態では、換気状態送信部がバッテリーを備えるようにした場合を例にとって説明したが、バッテリーを備える構成は任意の構成であり、換気状態送信部がバッテリーを備えていない構成とすることも可能である。
そして、コンロバーナやグリルバーナによる加熱を開始した後、コンロバーナやグリルバーナによる加熱を行っているときに、換気状態受信部が、レンジフード（換気装置）における換気の排気量Ｑ＝毎時１００立方メートルであること（換気実行情報）を受信しない期間が所定時間（例えば３０秒）継続したとき、コンロバーナ１やグリルバーナＡによる加熱を停止するように構成することも可能である。
【００９５】
本発明は、さらにその他の点においても上記実施形態に限定されるものではなく、本発明の範囲内において種々の変形を加えることが可能である。
【符号の説明】
【００９６】
１          左右一対のコンロバーナ
１Ａ        コンロバーナセンサ
２          天板
３          グリル排気口
４          五徳
５          一対のコンロ用操作具
６          グリル用設定操作部
８          グリル扉
１０        ガス調理器（ガスコンロ）
１５        ガス調理器側電子部品接続部
１５ａ      ガス調理器側電子部品
１０１      排気用ファン
１０１ａ    排気用ファンの吸い込み部
１０２      ケーシング
１０２ａ    レンジフードの排気用吸い込み口
１０３      フード部
１０６      排気ダクト
１０７      モータ
１１０      レンジフード（換気装置）
１１５      換気状態送信部側電子部品接続部
１１５ａ    換気状態送信部側電子部品
１１６      延長用排気筒
１５０      換気状態送信ユニット
１５１      下部継手
１５２      上部継手
１６１      円環状の外枠
１６２      棒状部材
１６３      コイル
１６４      換気状態送信部
１６５      ブレード
１６６      タービン
１６７      磁石
１７０      中心軸
Ｇ          グリル
Ｈ          コンロ本体
Ｗ          制御部（運転制御部）
Ｚ          換気状態受信部
【図１】
2019039648.tif 000004
【図２】
2019039648.tif 000005
【図３】
2019039648.tif 000006
【図４】
2019039648.tif 000007
【図５】
2019039648.tif 000008
【図６】
2019039648.tif 000009